(57)【要約】  換気装置は、室外から室内への給気流（７）が通過する給気風路と、室内から室外への排気流が通過する排気風路とが設けられた本体と、給気風路に給気流を発生させる給気送風機と、排気風路に排気流を発生させる排気送風機とを備える。換気装置は、給気風路または排気風路である風路に設けられ温度および湿度の少なくとも一方を検知するセンサー部（３０）と、センサー部を取り囲むことで風路を通過する気流からセンサー部をガードし、かつ気流の上流側への向きとは異なる向きで設けられた開口部（３４）を備えるガード部（３３）とを備える。
2018179248.tif 000002
【特許請求の範囲】
【請求項１】
室外から室内への給気流が通過する給気風路と、室内から室外への排気流が通過する排気風路とが設けられた本体と、
前記給気風路に前記給気流を発生させる給気送風機と、
前記排気風路に前記排気流を発生させる排気送風機と、
前記給気風路または前記排気風路である風路に設けられ、温度および湿度の少なくとも一方を検知するセンサー部と、
前記センサー部を取り囲むことで前記風路を通過する気流から前記センサー部をガードし、かつ前記気流の上流側への向きとは異なる向きで設けられた開口部を備えるガード部と
を備えることを特徴とする換気装置。
【請求項２】
前記開口部は、前記風路における前記気流の進行方向に垂直な方向へ向けられていることを特徴とする請求項１に記載の換気装置。
【請求項３】
前記気流の進行方向は水平方向であって、
前記開口部は、鉛直下方へ向けられていることを特徴とする請求項２に記載の換気装置。
【請求項４】
前記本体における前記ガード部の設置面に前記ガード部の上端が固定されていることを特徴とする請求項３に記載の換気装置。
【請求項５】
前記センサー部の下端は、前記開口部より鉛直上方に位置することを特徴とする請求項４に記載の換気装置。
【請求項６】
前記気流の進行方向は鉛直上方向であって、
前記ガード部は、水平方向へ向けられた側面をなすガード側面部を備え、
前記開口部は、前記ガード側面部に設けられていることを特徴とする請求項１または２に記載の換気装置。
【請求項７】
前記開口部の下端は、前記ガード側面部のうち前記開口部より鉛直上方の部分より水平方向において突出していることを特徴とする請求項６に記載の換気装置。
【請求項８】
前記ガード部のうち前記ガード側面部とは逆側の側端が、前記本体における前記ガード部の設置面に固定され、
前記ガード部は、前記側端から前記開口部の下端へ向かって下り勾配となるように傾斜する下面をなすガード下面部を備えることを特徴とする請求項６または７に記載の換気装置。
【請求項９】
前記気流の進行方向は斜め上方向であって、
前記本体における前記ガード部の設置面に前記ガード部の側端が固定され、
前記ガード部は、前記側端とは逆側の側面をなすガード側面部と、前記ガード側面部から前記設置面へ向かって下り勾配となるように傾斜する下面をなすガード下面部とを備え、
前記開口部は、前記ガード下面部に設けられていることを特徴とする請求項１または２に記載の換気装置。
【請求項１０】
空気と水蒸気とを透過可能な透湿膜を含み、前記センサー部を覆うフィルタを備えることを特徴とする請求項１から９のいずれか１つに記載の換気装置。
【発明の詳細な説明】
【技術分野】
【０００１】
本発明は、風路に設けられたセンサー部を備える換気装置に関する。
【背景技術】
【０００２】
湿度センサーと温度センサーとを含むセンサー部が設けられた換気装置が知られている。センサー部は、室外からの給気あるいは室内からの排気の湿度を、湿度センサーにより検知する。センサー部は、室外からの給気あるいは室内からの排気の温度を、温度センサーにより検知する。換気装置は、センサー部での検知結果を基に、給気あるいは排気のための動作を制御する。【０００３】
高湿度な空気が風路へ吸い込まれることにより、風路に設けられたセンサー部に水滴が付着することがある。また、風路へ吸い込まれる空気に異物が混入していることにより、風路に設けられたセンサー部に異物が付着することがある。センサー部に水滴あるいは異物が滞留することで、センサー部の検知精度が低下する場合がある。換気装置は、通常、高湿度な空気あるいは異物を含む空気を吸い込み得る環境にて使用されることから、センサー部への水滴および異物の付着を低減できることが望まれている。【０００４】
特許文献１には、ガスセンサーである湿度センサーの感湿材をフィルタで覆う技術が開示されている。湿度センサーは、感湿材へ水分が取り込まれることによる電気特性の変化を計測して湿度を検知する。フィルタは、水溶性材料である水溶性カチオン型ポリマーと水溶性アニオン型ポリマーとの積層構造を備える。【０００５】
特許文献２には、基板に実装された湿度センサーをケースで覆う収納構造を備える湿度検知ユニットが開示されている。基板のうちケースで覆われている領域内には、通気のための貫通孔である通気路が設けられている。湿度検知ユニット外の空気は、通気路を通って、ケースの内部の湿度センサーへ導かれる。
【先行技術文献】
【特許文献】
【０００６】
【特許文献１】特開２００２−９０３２５号公報
【特許文献２】特開２０１６−１８０６０１号公報
【発明の概要】
【発明が解決しようとする課題】
【０００７】
特許文献１に開示されているフィルタで換気装置のセンサー部が覆われた場合、フィルタは、換気装置へ吸い込まれた高湿度な空気にさらされ続けることがある。水溶性材料の潮解が生じ易い高湿度な環境にてフィルタが使用されることで、フィルタの劣化が促進されることになる。また、換気装置の風路内に設けられるセンサー部に、特許文献２に開示されている収納構造が適用された場合、気流に含まれる異物が基板の貫通孔からケース内へ侵入することがあり得る。このため、特許文献１および２の技術では、換気装置の風路に設けられたセンサー部により長期にわたって安定した精度での検知を行うことが困難となる。【０００８】
本発明は、上記に鑑みてなされたものであって、風路に設けられたセンサー部により、長期にわたって安定した精度での検知を可能とする換気装置を得ることを目的とする。
【課題を解決するための手段】
【０００９】
上述した課題を解決し、目的を達成するために、本発明にかかる換気装置は、室外から室内への給気流が通過する給気風路と、室内から室外への排気流が通過する排気風路とが設けられた本体と、給気風路に給気流を発生させる給気送風機と、排気風路に排気流を発生させる排気送風機とを備える。本発明にかかる換気装置は、給気風路または排気風路である風路に設けられ、温度および湿度の少なくとも一方を検知するセンサー部と、センサー部を取り囲むことで風路を通過する気流からセンサー部をガードし、かつ気流の上流側への向きとは異なる向きで設けられた開口部を備えるガード部とを備える。
【発明の効果】
【００１０】
本発明にかかる換気装置は、風路に設けられたセンサー部により長期にわたって安定した精度での検知を行うことができるという効果を奏する。
【図面の簡単な説明】
【００１１】
【図１】本発明の実施の形態１にかかる換気装置の構成を示す図
【図２】図１に示すセンサーユニットの構成を示す図
【図３】図２に示すガード部とセンサー部とを示す斜視図
【図４】本発明の実施の形態２にかかる換気装置に備えられているセンサーユニットの構成を示す図
【図５】本発明の実施の形態３にかかる換気装置に備えられているセンサーユニットの構成を示す図
【発明を実施するための形態】
【００１２】
以下に、本発明の実施の形態にかかる換気装置を図面に基づいて詳細に説明する。なお、この実施の形態によりこの発明が限定されるものではない。
【００１３】
実施の形態１．
図１は、本発明の実施の形態１にかかる換気装置１の構成を示す図である。換気装置１は、室外から室内への給気流７が通過する給気風路３と、室内から室外への排気流８が通過する排気風路４とが設けられた本体であるケーシング２を備える。また、換気装置１は、給気風路３に給気流７を発生させる給気送風機５と、排気風路４に排気流８を発生させる排気送風機６とを備える。図１には、ケーシング２の内部に設けられている構成要素を上から見た状態を模式的に表している。
【００１４】
ケーシング２のうち室内側の側面をなす本体側面部１８には、給気吹出口９と排気吸込口１０とが設けられている。ケーシング２のうち室外側の側面をなす本体側面部１９には、給気吸込口１１と排気吹出口１２とが設けられている。換気装置１は、給気送風機５を動作させることで、室外の空気を給気吸込口１１から給気風路３へ取り込んで給気流７を発生させる。給気流７は、給気風路３を進行して、給気吹出口９から室内へ向けて吹き出される。また、換気装置１は、排気送風機６を動作させることで、室内の空気を排気吸込口１０から排気風路４へ取り込んで排気流８を発生させる。排気流８は、排気風路４を進行して、排気吹出口１２から室外へ向けて吹き出される。
【００１５】
全熱交換器１３は、給気風路３と排気風路４との中に設けられている。全熱交換器１３は、給気風路３を進行する給気流７と排気風路４を進行する排気流８との間の全熱交換を行う。全熱交換器１３は、排気流８が通過する一次側風路と、給気流７が通過する二次側風路とを備える。全熱交換器１３の内部において、一次側風路と二次側風路とは垂直に交差している。図１では、一次側風路と二次側風路との図示を省略している。
【００１６】
ダンパー１４は、排気風路４のうち、排気吸込口１０から全熱交換器１３内へ向かう第１のルート２１と、排気吸込口１０から全熱交換器１３外へ向かう第２のルート２２との分岐に設けられている。ダンパー１４は、回転動作により、第１のルート２１の開度と第２のルート２２との開度とを調節する。ダンパー１４が第２のルート２２を塞ぐことで、排気吸込口１０からの排気流８は第１のルート２１へ導かれて、全熱交換器１３内を通過する。ダンパー１４が第１のルート２１を塞ぐことで、排気吸込口１０からの排気流８は第２のルート２２へ導かれて、全熱交換器１３の外を通過する。換気装置１は、ダンパー１４の回転位置を調節することで、給気流７と排気流８との間の熱交換を調節する。なお、図１には、ダンパー１４により第２のルート２２が塞がれ、排気流８が第１のルート２１へ導かれている状態を示している。
【００１７】
換気装置１は、給気風路３に設けられたセンサーユニット１５と、排気風路４に設けられたセンサーユニット１６とを備える。センサーユニット１５は、給気風路３のうち給気吸込口１１から近い位置に設けられている。センサーユニット１５は、給気流７の温度と湿度とを検知するセンサー部を含む。センサーユニット１６は、排気風路４のうち排気吸込口１０から近い位置に設けられている。センサーユニット１６は、排気流８の温度と湿度とを検知するセンサー部を備える。なお、センサーユニット１５は、給気風路３のうち全熱交換器１３より上流側の位置に設けられていれば良い。センサーユニット１６は、排気風路４のうち全熱交換器１３より上流側の位置に設けられていれば良い。
【００１８】
制御部１７は、換気装置１全体を制御する。制御部１７は、給気送風機５の動作と排気送風機６の動作とを制御する。制御部１７は、センサーユニット１５のセンサー部で検知された給気流７の湿度および温度と、センサーユニット１６のセンサー部で検知された排気流８の湿度および温度とを基に、ダンパー１４の回転位置を制御しても良い。
【００１９】
次に、センサーユニット１５の構成について説明する。センサーユニット１６の構成は、センサーユニット１５の構成と同じであるものとする。
【００２０】
図２は、図１に示すセンサーユニット１５の構成を示す図である。センサーユニット１５は、センサー部３０と、センサー部３０を覆うフィルタ３２と、フィルタ３２に覆われたセンサー部３０を取り囲むガード部３３とを備える。センサー部３０と、フィルタ３２と、ガード部３３とは、図１に示すケーシング２における設置面２４に設置されている。設置面２４は、ケーシング２の上部を覆う本体上面部２３の水平面である。図２には、本体上面部２３と、本体上面部２３に設置されたセンサー部３０と、フィルタ３２と、ガード部３３との断面を示している。なお、図１には、本体上面部２３が取り外された状態の換気装置１を示している。設置面２４は、本体上面部２３の面に限られず、風路に設けられている部材の面であれば良い。
【００２１】
センサー部３０のセンサー素子部３１には、湿度を検知するセンサー素子である湿度センサーと、温度を検知するセンサー素子である温度センサーとが設けられている。湿度センサーは、高分子ポリマー材料で形成された感湿膜と、感湿膜を挟持する電極とを備える。湿度センサーの１つの例は、感湿膜に吸着する水分量に応じた静電容量を測定して湿度を検知する高分子静電容量式の湿度センサーである。湿度センサーは、感湿膜に吸着する水分量に応じた電気抵抗を測定して湿度を検知する高分子抵抗式の湿度センサーであっても良く、その他の湿度検知手段であっても良い。温度センサーの１つの例は、サーミスタである。温度センサーは、熱電対、あるいはその他の温度検知手段であっても良い。なお、センサー部３０のうち、センサー素子部３１が設けられている側の面を、センサー部３０の正面とする。
【００２２】
フィルタ３２の上端は、設置面２４に接合されている。センサー部３０の上面は、設置面２４のうちフィルタ３２で囲われた領域に固定されている。センサー部３０の水平方向における周囲と下方との全体は、フィルタ３２によって覆われている。１つの例では、フィルタ３２は、空気と水蒸気とを透過可能な不織布と透湿膜とを含む。透湿膜は、不織布にコーティングされている。不織布には、合成繊維であるポリエステル繊維が使用される。不織布には、ポリエステル繊維以外の合成繊維であるポリエチレンあるいはポリプロピレンが使用されても良く、空気と水蒸気とを透過可能なその他のシート部材が使用されても良い。
【００２３】
透湿膜には、微細な空孔が多数形成されている。透湿膜は、空気と水蒸気を空孔にて通過させるとともに、空気中に浮遊する異物と液状の水分とを遮断させる。異物には、固体物である塵埃と、液状物とが含まれ得る。液状物の１つの例は、液状の油分である。透湿膜には、ポリウレタン系樹脂膜が使用される。樹脂膜は、フッ素系樹脂膜、ポリエチレン系樹脂膜、ポリプロピレン系樹脂膜、あるいはシリコン系樹脂膜であっても良い。
【００２４】
湿度および温度の検知のための空気と水蒸気とがフィルタ３２を通過することで、センサー部３０は、風路内の空気の温度と湿度とを検知可能とする。また、異物と水滴とがフィルタ３２の透湿膜で遮断されることで、センサー部３０は、異物と水滴との付着を防ぐことができる。なお、フィルタ３２は、センサー部３０の全体を覆うものに限られず、センサー部３０に接続されているリードが通される開口、あるいはケーシング２におけるセンサー部３０の着脱のためのコネクタを露出させるための開口が設けられていても良い。フィルタ３２からコネクタを露出させておくことで、センサー部３０の容易な着脱が可能となる。なお、図２では、リードとコネクタとの図示を省略している。
【００２５】
図３は、図２に示すガード部３３とセンサー部３０とを示す斜視図である。図３では、図２に示す構成要素のうち、ガード部３３とセンサー部３０以外の構成要素の図示を省略している。図３において、ガード部３３の内部に配置されているセンサー部３０を破線で示している。
【００２６】
ガード部３３は、センサー部３０の周囲を取り囲むことで、風路を通過する気流からセンサー部３０をガードする。また、ガード部３３の下面には、開口部３４が設けられている。ガード部３３は、図２に示すフィルタ３２で覆われたセンサー部３０を水平方向から取り囲む。また、開口部３４が設けられていることで、センサー部３０の下方は、風路へ開放されている。
【００２７】
ガード部３３は、直方体状の外形を備え内部が空洞とされた筒体である。ガード部３３の上端２５には、フランジ３５が設けられている。図２に示す設置面２４へフランジ３５がネジ止めされることで、ガード部３３は、設置面２４に固定されている。ガード部３３は、ネジ以外の固定部材を用いて設置面２４に固定されても良い。なお、図２および図３では、ガード部３３の固定のための固定部材の図示を省略している。ガード部３３の上端２５が設置面２４に接合されていることで、センサー部３０の上方は、本体上面部２３によって塞がれている。センサー部３０の下端３７は、開口部３４より鉛直上方に位置している。
【００２８】
給気風路３のうちセンサーユニット１５が設置されている位置における給気流７の進行方向が水平方向であるとする。開口部３４は、給気流７の上流側への向きとは異なる向きで設けられている。図２において、給気流７の上流側への向きは、ガード部３３から左の向きである。開口部３４は、給気流７の上流側への向きとは異なる向きである鉛直下方へ向けられている。開口部３４の向きである鉛直下方は、ガード部３３へ向かう給気流７の進行方向に垂直な方向でもある。
【００２９】
ガード部３３が設けられていることで、センサーユニット１５へ向けて進行した給気流７は、ガード部３３の周囲と下方とを通過する。鉛直下方へ開口部３４が向けられていることで、ガード部３３へ向けて進行してからガード部３３内部へ直接入り込む給気流７を低減できる。これにより、センサーユニット１５は、給気流７とともに流動してガード部３３の内部へ侵入する異物を低減できる。
【００３０】
ガード部３３の下端３６付近では、ガード部３３の下方を通過する気流３８と、ガード部３３の内部に留まる気流３９との剥離が生じる。ガード部３３のうち給気流７の上流側の下端３６は、気流３８，３９の剥離点となる。気流３９は、開口部３４の付近にて旋回する。フィルタ３２を通過した気流３９がセンサー部３０へ到達することで、センサー部３０は、給気風路３内の空気の温度と湿度とを検知する。
【００３１】
質量を持つ異物の多くは、剥離点の上方の気流３９より、剥離点より下方の気流３８に乗って流動する。異物の多くがガード部３３の下方を通過することで、開口部３４からガード部３３内への異物の侵入が低減される。センサー部３０の下端３７を開口部３４より鉛直上方としていることで、開口部３４からの異物の侵入があっても、センサー部３０の位置まで入り込む異物を低減できる。さらに、センサー部３０がフィルタ３２で覆われていることで、センサー部３０への異物の付着を低減できる。
【００３２】
ガード部３３へ給気流７が当たることで、ガード部３３の表面には異物と水滴とが付着することがある。ガード部３３に付着した異物と水滴とは、重力の影響によりガード部３３を下方へ伝い、ガード部３３の下端３６から落下する。開口部３４が下方へ向けられていることで、センサーユニット１５は、ガード部３３の表面を伝ってガード部３３内へ侵入する異物と水滴とを低減できる。また、センサーユニット１５は、設置面２４のうちセンサーユニット１５の周囲に滞留する異物と水滴とを低減できる。センサーユニット１５は、換気装置１の運転時のみならず、運転を停止しているときのガード部３３内への異物と水滴との侵入を低減できる。
【００３３】
センサーユニット１５は、本体上面部２３のうち給気風路３の任意の位置に設置可能である。センサーユニット１６は、センサーユニット１５と同様に、本体上面部２３のうち排気風路４の任意の位置に設置可能である。本体の一部である本体上面部２３によってガード部３３の上方が塞がれることで、本体の構成部材とは別にガード部３３の上面部が設けられる場合に比べて、ガード部３３の構成部材を低減できる。
【００３４】
仮に、センサーユニット１５，１６のセンサー部３０を風路にて露出させた場合、風路を通過する気流がセンサー部３０に常時接触することとなる。風路へ取り込まれる気流には、空気中に浮遊する異物と液状の水分とが含まれ得る。霧が発生しているときあるいは降雨時の外気には、多くの水分が含まれる。多くの水分を含む気流が取り込まれることで、結露による水滴が生じることもあり得る。また、センサー部３０への通電によって生じる静電気が、異物と水滴とをセンサー部３０へ引き寄せることがある。センサー部３０を風路にて露出させた場合、気流に含まれる異物と水滴とがセンサー素子部３１へ付着する可能性が高くなる。センサー部３０の正面が気流の下流側へ向けられた場合であっても、センサー部３０に異物と水滴とが堆積されることで、センサー素子部３１へ異物と水滴とが入り込む可能性がある。
【００３５】
センサー素子部３１への水滴あるいは異物の入り込みにより、センサー部３０は、感度の低下による検知結果のずれ、あるいは応答性の劣化を生じることがある。このような検知精度の低下あるいは検知の異常がセンサー部３０に生じた場合に、換気装置１は、センサー部３０の交換を要することになる。換気装置１は、センサー部３０の交換の頻度が高くなることで、センサー部３０の交換のための作業の負担が増大し、かつライフサイクルコストが上昇することとなる。
【００３６】
センサーユニット１５，１６のセンサー部３０は、ガード部３３とフィルタ３２とが設けられていることで、高い防塵性が得られ、かつ水濡れを低減できる。センサー部３０は、風路に露出された場合に比べて、センサー素子部３１へ入り込む異物と水滴とを低減できる。これにより、センサーユニット１５，１６は、温度と湿度とを安定した精度で検知することができる。換気装置１は、センサーユニット１５，１６での検知結果を基に、温度と湿度とに適した動作制御を行うことができる。
【００３７】
換気装置１は、ガード部３３への異物の付着があっても、ガード部３３への清掃によって異物が除去される。換気装置１は、フィルタ３２への異物の付着があった場合、フィルタ３２への清掃あるいはフィルタ３２の交換により、異物が除去される。これにより、換気装置１は、センサー部３０を長期にわたって使用することが可能となる。換気装置１は、センサー部３０の交換の頻度を少なくすることで、ライフサイクルコストを低減できる。なお、センサー素子部３１への異物と水滴との侵入をガード部３３により低減可能である場合、センサーユニット１５，１６は、フィルタ３２を省略しても良い。
【００３８】
開口部３４は、鉛直下方以外の方向へ向けられていても良い。開口部３４は、給気流７の上流側への向きとは異なる向きで設けられていれば良く、給気流７の下流側への向きで設けられたものであっても良い。図２において、給気流７の下流側への向きは、ガード部３３から右の向きである。開口部３４は、図２における紙面手前の向き、あるいは紙面奥の向きである水平方向へ向けられたものであっても良い。
【００３９】
ガード部３３は、直方体以外の形状の外形を備えた筒体であっても良い。ガード部３３は、円柱状あるいは楕円柱状の外形を備えた筒体であっても良い。下方へ向けられた開口部３４を備えるガード部３３は、水平方向へ気流が進行する風路に設置されるセンサーユニット１５，１６のほか、鉛直上方から下方へ気流が進行する風路に設置されるセンサーユニット１５，１６に設けられても良い。
【００４０】
センサー部３０は、温度と湿度とを検知するものに限られず、温度と湿度とのうちの一方を検知するものであっても良い。センサー素子部３１は、温度センサーと湿度センサーとの少なくとも一方を備えている。換気装置１は、温度を検知するセンサー部３０とは別に、湿度を検知するセンサー部３０を備えていても良い。ガード部３３とフィルタ３２とは、温度を検知するセンサー部３０と湿度を検知するセンサー部３０との少なくとも一方に設けられていれば良い。また、ガード部３３とフィルタ３２とは、センサーユニット１５とセンサーユニット１６との少なくとも一方に設けられていれば良い。ガード部３３は、本体上面部２３の面に限られず、本体の側面に設けられても良い。センサーユニット１５，１６の少なくとも一方は、本体の側面に設けられても良い。
【００４１】
換気装置１は、センサーユニット１５とセンサーユニット１６との双方を備えるものに限られず、センサーユニット１５とセンサーユニット１６とのうちの一方を備えるものであっても良い。換気装置１は、センサーユニット１５とセンサーユニット１６との少なくとも一方にて温度あるいは湿度を安定した精度で検知可能とすることで、温度あるいは湿度に適した動作制御を行うことができる。
【００４２】
実施の形態１によると、換気装置１は、風路に設けられたセンサー部３０を気流からガードするガード部３３が設けられていることで、センサー部３０への異物と水滴との付着を低減できる。これにより、換気装置１は、風路に設けられたセンサー部３０により長期にわたって安定した精度での検知を行うことができるという効果を奏する。
【００４３】
実施の形態２．
図４は、本発明の実施の形態２にかかる換気装置１に備えられているセンサーユニット４０の構成を示す図である。センサーユニット４０は、図２に示すガード部３３とは異なるガード部４１を備える。ガード部４１の開口部４２は、ガード側面部４５に設けられている。上記の実施の形態１と同一の部分には同一の符号を付し、重複する説明を省略する。センサーユニット４０は、図１に示す給気風路３または排気風路４である風路に設けられている。
【００４４】
センサーユニット４０は、センサー部３０と、センサー部３０を覆うフィルタ３２と、フィルタ３２に覆われたセンサー部３０を取り囲むガード部４１とを備える。センサー部３０と、フィルタ３２と、ガード部４１とは、図１に示すケーシング２における設置面２７に設置されている。設置面２７は、ケーシング２の側部を覆う本体側面部２６の垂直面である。図４には、本体側面部２６と、本体側面部２６に設置されたセンサー部３０と、フィルタ３２と、ガード部４１との断面を示している。なお、設置面２７は、本体側面部２６以外の部材の面であっても良い。
【００４５】
フィルタ３２の側端は、設置面２７に接合されている。センサー部３０の側面は、設置面２７のうちフィルタ３２で囲われた領域に固定されている。センサー部３０の水平方向における周囲、上方および下方の全体は、フィルタ３２によって覆われている。
【００４６】
ガード部４１は、センサー部３０を取り囲むことで、風路を通過する気流４６からセンサー部３０をガードする。ガード部４１は、水平方向へ向けられた側面をなすガード側面部４５と、下面をなすガード下面部４３とを備える。ガード部４１のうちガード側面部４５とは逆側の側端２８には、フランジ３５が設けられている。固定手段を用いて設置面２７へフランジ３５が固定されることで、ガード部４１は、設置面２７に固定されている。なお、図４では、固定部材の図示を省略している。ガード部４１の側端２８が設置面２７に接合されていることで、センサー部３０のうちガード側面部４５とは逆側の側方は、本体側面部２６によって塞がれている。
【００４７】
開口部４２は、ガード側面部４５のうち鉛直下方部分に設けられている。開口部４２の外縁には、ガード側面部４５とガード下面部４３とが含まれている。開口部４２の下端５１は、ガード下面部４３に含まれている。下端５１は、ガード側面部４５のうち開口部４２より鉛直上方の部分よりも横方向へ突出している。ここで、横方向は、水平方向のうち設置面２４から離れる方向であって、図４では右から左へ向かう方向とする。ガード下面部４３は、側端２８から下端５１へ向かって下り勾配となるように傾斜している。
【００４８】
風路のうちセンサーユニット４０が設置されている位置における気流４６の進行方向が鉛直上方向であるとする。開口部４２は、気流４６の上流側への向きである鉛直下方とは異なる向きである横方向へ向けられている。開口部４２の向きである横方向は、ガード部４１へ向かう気流４６の進行方向に垂直な方向でもある。横方向へ開口部４２が向けられていることで、ガード部４１へ向けて進行してからガード部４１の内部へ直接入り込む気流４６を低減できる。これにより、センサーユニット４０は、気流４６とともに流動してガード部４１の内部へ侵入する異物を低減できる。
【００４９】
ガード部４１の下端４４付近では、ガード部４１の横方向側を通過する気流４７と、ガード部４１の内部に留まる気流４８との剥離が生じる。下端４４は、気流４７，４８の剥離点となる。気流４８は、開口部４２の付近にて旋回する。フィルタ３２を通過した気流４８がセンサー部３０へ到達することで、センサー部３０は、風路内の空気の温度と湿度とを検知する。開口部４２の下端５１を横方向へ突出させていることで、横方向において気流４７を開口部４２から大きく引き離す。これにより、ガード部４１内部へ直接入り込む気流４６を低減できる。
【００５０】
ガード下面部４３を傾斜させたことで、ガード下面部４３に付着した異物と水滴とは、重力の影響により下端４４へ向けて伝い、下端４４から落下する。センサーユニット４０は、ガード部４１の表面を伝ってガード部４１内部へ侵入する異物と水滴とを低減できる。また、センサーユニット４０は、設置面２７のうちセンサーユニット４０の周囲に滞留する異物と水滴とを低減できる。
【００５１】
センサーユニット４０のセンサー部３０は、ガード部４１とフィルタ３２とが設けられていることで、高い防塵性が得られ、かつ水濡れを低減できる。これにより、センサーユニット４０は、温度と湿度とを安定した精度で検知することができる。換気装置１は、センサーユニット４０での検知結果を基に、温度と湿度とに適した動作制御を行うことができる。なお、センサー素子部３１への異物と水滴との侵入をガード部４１により低減可能である場合、センサーユニット４０は、フィルタ３２を省略しても良い。
【００５２】
実施の形態２によると、換気装置１は、風路に設けられたセンサー部３０を気流からガードするガード部４１が設けられていることで、センサー部３０への異物と水滴との付着を低減できる。これにより、換気装置１は、風路に設けられたセンサー部３０により長期にわたって安定した精度での検知を行うことができるという効果を奏する。
【００５３】
実施の形態３．
図５は、本発明の実施の形態３にかかる換気装置１に備えられているセンサーユニット６０の構成を示す図である。センサーユニット６０に備えられているガード部６１の開口部６２は、ガード下面部６３に設けられている。上記の実施の形態１と同一の部分には同一の符号を付し、重複する説明を省略する。センサーユニット６０は、図１に示す給気風路３または排気風路４である風路に設けられている。
【００５４】
センサーユニット６０は、センサー部３０と、センサー部３０を覆うフィルタ３２と、フィルタ３２に覆われたセンサー部３０を取り囲むガード部６１とを備える。センサー部３０と、フィルタ３２と、ガード部６１とは、設置面２７に設置されている。ガード部６１は、センサー部３０を取り囲むことで、風路を通過する気流６６からセンサー部３０をガードする。
【００５５】
ガード部６１の側端２８に設けられたフランジ３５は、固定手段を用いて設置面２７に固定されている。なお、図５では、固定部材の図示を省略している。また、ガード部６１は、側端２８とは逆側の側面をなすガード側面部６４と、下面をなすガード下面部６３とを備える。
【００５６】
ガード下面部６３は、ガード側面部６４の側から設置面２７の側へ向かって下り勾配となるように傾斜している。ガード下面部６３の下端６５と設置面２７との間は、風路へ開放されている。開口部６２は、ガード下面部６３の下端６５と設置面２７との間の開放部分とする。開口部６２の外縁には、ガード下面部６３と設置面２７とが含まれている。
【００５７】
ここで、図５において、右斜め上へ向かう方向を第１の斜め上方向、左斜め上へ向かう方向を第２の斜め上方向、右斜め下へ向かう方向を第１の斜め下方向、左斜め下へ向かう方向を第２の斜め下方向とする。風路のうちセンサーユニット６０が設置されている位置へ向かう気流６６の進行方向は、第１の斜め上方向とする。ガード部６１へ到達した気流６６は、上方へ向かう気流６７と第１の斜め下方向へ向かう気流６８とへ分岐される。開口部６２は、第２の斜め下方向へ向けられている。開口部６２は、開口部６２付近における気流６８の上流側への向きである第２の斜め上方向とは異なる方向である第２の斜め下方向へ向けられている。第２の斜め下方向へ開口部６２が向けられていることで、ガード部６１へ向けて進行してからガード部６１の内部へ直接入り込む気流６６を低減できる。これにより、センサーユニット６０は、気流６６とともに流動してガード部６１の内部へ侵入する異物を低減できる。
【００５８】
ガード下面部６３の下端６５付近では、下端６５より第２の斜め下方向の側を通過する気流６８と、ガード部６１の内部に留まる気流６９との剥離が生じる。下端６５は、気流６８，６９の剥離点となる。気流６９は、開口部６２の付近にて旋回する。フィルタ３２を通過した気流６９がセンサー部３０へ到達することで、センサー部３０は、風路内の空気の温度と湿度とを検知する。
【００５９】
質量を持つ異物の多くは、剥離点より上方へ向かう気流６９より、剥離点より下方へ向かう気流６８に乗って流動する。これにより、センサーユニット６０は、開口部６２からガード部６１内への異物の侵入を低減可能とする。
【００６０】
ガード下面部６３を傾斜させたことで、ガード下面部６３に付着した異物と水滴とは、重力の影響により下端６５へ向けて伝い、下端６５から落下する。センサーユニット６０は、ガード部６１の表面を伝ってガード部６１内部へ侵入する異物と水滴とを低減できる。
【００６１】
センサーユニット６０のセンサー部３０は、ガード部６１とフィルタ３２とが設けられていることで、高い防塵性が得られ、かつ水濡れを低減できる。これにより、センサーユニット６０は、温度と湿度とを安定した精度で検知することができる。換気装置１は、センサーユニット６０での検知結果を基に、温度と湿度とに適した動作制御を行うことができる。なお、センサー素子部３１への異物と水滴との侵入をガード部６１により低減可能である場合、センサーユニット６０は、フィルタ３２を省略しても良い。
【００６２】
実施の形態３によると、換気装置１は、風路に設けられたセンサー部３０を気流からガードするガード部６１が設けられていることで、センサー部３０への異物と水滴との付着を低減できる。これにより、換気装置１は、風路に設けられたセンサー部３０により長期にわたって安定した精度での検知を行うことができるという効果を奏する。
【００６３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６４】
１  換気装置、２  ケーシング、３  給気風路、４  排気風路、５  給気送風機、６  排気送風機、７  給気流、８  排気流、９  給気吹出口、１０  排気吸込口、１１  給気吸込口、１２  排気吹出口、１３  全熱交換器、１４  ダンパー、１５，１６，４０，６０  センサーユニット、１７  制御部、１８，１９，２６  本体側面部、２１  第１のルート、２２  第２のルート、２３  本体上面部、２４，２７  設置面、２５  上端、２８  側端、３０  センサー部、３１  センサー素子部、３２  フィルタ、３３，４１，６１  ガード部、３４，４２，６２  開口部、３５  フランジ、３６，３７，４４，５１，６５  下端、３８，３９，４６，４７，４８，６６，６７，６８，６９  気流、４３，６３  ガード下面部、４５，６４  ガード側面部。
【図１】
2018179248.tif 000003
【図２】
2018179248.tif 000004
【図３】
2018179248.tif 000005
【図４】
2018179248.tif 000006
【図５】
2018179248.tif 000007
【国際調査報告】
2018179248.tif 000008
2018179248.tif 000009
2018179248.tif 000010
2018179248.tif 000011
2018179248.tif 000012
2018179248.tif 000013